(57)【要約】【課題】  ユーザー自身が、極めて容易に、必要な文字、記号、図形等の可視情報を適宜作成し、それを表示することができる単管パイプ用表示具を提供する。【解決手段】  単管嵌合部５を有する基体２に蓋体３を開閉可能に取り付ける。蓋体３を閉状態に維持することも、閉状態から開状態への移行を許すこともできる閉状態維持手段を設ける。可視情報２２を担持したシート状をなす表示物１１を基体２と蓋体３との間に挟んだ状態で支持できるようにするとともに、単管嵌合部５を単管パイプ６に着脱自在に嵌合することにより、単管パイプ６に単管パイプ用表示具１を取り付けることができるようにする。【選択図】    図１
2005122077.tif 000002
【特許請求の範囲】
【請求項１】
基体と、この基体に設けられた、単管パイプに着脱自在に嵌合される単管嵌合部と、前記基体に重ねられた状態となる閉状態および前記基体に重ならない状態となる開状態の何れの状態も取り得るように、前記基体に開閉可能に取り付けられた蓋体と、前記蓋体を前記閉状態に維持する状態および前記閉状態から前記開状態への移行を許す状態を取り得る閉状態維持手段とを有してなり、
可視情報を担持したシート状をなす表示物を前記基体と前記蓋体との間に挟んだ状態で支持するようになっている単管パイプ用表示具。
【請求項２】
前記基体または（および）前記蓋体に設けられた、前記表示物に設けられた支持穴に挿通される突起をさらに有してなる請求項１記載の単管パイプ用表示具。
【請求項３】
前記基体または前記蓋体に設けられた、前記支持穴に挿通される管状突起と、前記基体または前記蓋体のうちの前記管状突起を設けられていない方の部材に設けられた、前記蓋体が前記閉状態とされると、前記管状突起内に挿入される芯側突起とを有してなる請求項２記載の単管パイプ用表示具。
【請求項４】
前記閉状態維持手段は、前記基体または前記蓋体に設けられたフックと、前記基体または前記蓋体のうちの前記フックを設けられていない方の部材に設けられたフック係合部とを有してなり、前記蓋体が前記閉状態とされると、前記フックが前記フック係合部に係合して前記蓋体を前記閉状態に維持するようになる一方、この状態において前記フックを所定の方向に弾性変形すると前記係合状態を解除できるようになっている請求項１乃至３のいずれかに記載の単管パイプ用表示具。
【請求項５】
前記表示物は、表面に可視情報を担持したシート状物を透明な袋状体内に収容してなる請求項１乃至４のいずれかに記載の単管パイプ用表示具。
【請求項６】
前記単管嵌合部は、１対の腕部と、これらの腕部にそれぞれ設けられた、互いに対向される凹部と、前記腕部の先端部付近間に形成された狭隘部とを有し、前記単管パイプの側方から前記腕部の先端部を前記単管パイプの外周に押圧すると、前記腕部が互いに離間する方向に弾性変形することにより、前記狭隘部が開き、該狭隘部を経て前記凹部間に前記単管パイプが侵入する一方、前記腕部が弾性により元の位置に戻ろうとすることにより、前記単管パイプが前記凹部間に弾性的に挾持されるようになっている請求項１乃至５のいずれかに記載の単管パイプ用表示具。
【請求項７】
前記基体または前記蓋体に設けられた、前記表示物が支持される際の中心位置を示す中心マークと、前記表示物が規格サイズの用紙からなる場合の前記表示物の側端の位置を示す用紙端マークとをさらに有する請求項１乃至６のいずれかに記載の単管パイプ用表示具。
【発明の詳細な説明】
【技術分野】
【０００１】
本発明は、建設・土木工事現場、イベント会場等において、足場、柵等に用いられている単管パイプに取り付けられて、文字、記号、図形またはそれらの組み合わせ等の可視情報を表示する単管パイプ用表示具に関する。
【背景技術】
【０００２】
従来のこの種の装置（例えば、特許文献１、図６）においては、表示具の製造者・販売者側が予め用意した文字、記号、図形またはそれらの組み合わせ等の可視情報を担持した表示体を単管パイプに取り付けるようになっていた。
【特許文献１】特開２００３−７６３０９号公報
【発明の開示】
【発明が解決しようとする課題】
【０００３】
このため、ユーザー自身が必要な可視情報を適宜作成し、それを表示することは困難であった。
【０００４】
本発明は、このような従来の事情に鑑みてなされたもので、本発明の一つの目的は、ユーザー自身が、極めて容易に、必要な可視情報を適宜作成し、それを表示することができる単管パイプ用表示具を提供することにある。
【０００５】
本発明の他の目的は、表示具の製造者・販売者側で予め用意した文字、記号、図形またはそれらの組み合わせ等の可視情報を、それ単独で、またはユーザー自身が作成した可視情報と組み合わせて、表示することもできる単管パイプ用表示具を提供することにある。
【０００６】
本発明のさらに他の目的は、以下の説明から明らかになろう。
【課題を解決するための手段】
【０００７】
本発明による単管パイプ用表示具は、基体と、この基体に設けられた、単管パイプに着脱自在に嵌合される単管嵌合部と、前記基体に重ねられた状態となる閉状態および前記基体に重ならない状態となる開状態の何れの状態も取り得るように、前記基体に開閉可能に取り付けられた蓋体と、前記蓋体を前記閉状態に維持する状態および前記閉状態から前記開状態への移行を許す状態を取り得る閉状態維持手段とを有してなり、
可視情報を担持したシート状をなす表示物を前記基体と前記蓋体との間に挟んだ状態で支持するようになっているものである。
【０００８】
本発明の単管パイプ用表示具においては、例えば、紙にユーザー自身が文字、記号、図形またはそれらの組み合わせ等の可視情報を印刷したり、手書きし、これを透明な袋状体内に収容したものや、ラミネート（パウチ）加工したものを表示物とし、この表示物を基体と蓋体との間に挟んだ状態で支持させる。そして、この状態で単管嵌合部を単管パイプに嵌合して単管パイプ用表示具を単管パイプに取り付けることにより、単管パイプを利用して文字、記号、図形またはそれらの組み合わせ等からなる可視情報を表示することができる。
【０００９】
したがって、ユーザー自身が、極めて容易に、必要な可視情報を適宜作成し、それを単管に取り付けて表示することができる。
【００１０】
なお、紙以外のシート状物で表示物を構成してもよい。また、単管パイプ用表示具を単管パイプに取り付ける前ではなく、単管パイプ用表示具を単管パイプに取り付けた後に、表示物を基体と蓋体との間に挟んだ状態で支持させてもよい。
【００１１】
また、本発明によれば、製造者・販売者側で予め用意した、種々の文字、記号、図形またはそれらの組み合わせ等の可視情報を印刷されるとともに裏面に粘着剤を塗布されたステッカー、シール、ラベルまたはテープ等の中から選択したものを、蓋体の表面に貼る等により、表示具の製造者・販売者側で予め用意した種々の可視情報の中から選択したものをそれ単独で表示することもできる。さらに、前に説明した表示方法と後に説明した表示方法とを併用すれば、ユーザー自身が作成した可視情報と表示具の製造者・販売者側で予め用意した可視情報とを組み合わせて表示することもできる。
【発明の効果】
【００１２】
本発明によれば、ユーザー自身が、極めて容易に、必要な文字、記号、図形またはそれらの組み合わせ等の可視情報を適宜作成し、それを表示することができる。
【００１３】
また、表示具の製造者・販売者側で予め用意した種々の可視情報の中から選択したものをそれ単独で、またはユーザー自身が作成した可視情報と組み合わせて、表示することもできる。
【発明を実施するための最良の形態】
【００１４】
以下、本発明を図面に示す実施例に基づいて説明する。
【実施例】
【００１５】
図１〜１４は本発明の一実施例を示している。本実施例において、単管パイプ用表示具１は、それぞれＡＢＳ樹脂、ポリカーボネート樹脂等のプラスチックからなる基体２および蓋体３を有してなる。
【００１６】
前記基体２は、細長く扁平な形状をなした主部４と、この主部４の裏側かつ両端部付近に設けられた２つの単管嵌合部５とを有している。前記２つの単管嵌合部５は、図４および６によく示されるように、それぞれ１対の腕部５ａを有している。これらの腕部５ａは、それぞれ大略円弧状をなすことにより、該腕部５ａの内面側に単管パイプ６の外径に対応する内径の円弧状に湾曲する凹部５ｂを形成されており、これらの凹部５ｂは互いに対向されている。前記腕部５ａの先端部付近間には、単管パイプ６の外径より若干狭い狭隘部５ｃが形成されている。
【００１７】
図２，３等に示されるように、前記基体２の主部４の幅方向両端部付近には、後述する蓋体３のフック７を係合されるフック係合穴８が設けられている（フック７およびフック係合穴８は、本実施例において閉状態維持手段を構成する）。なお、本実施例では、フック係合部を穴（フック係合穴８）としているが、本発明においては、フック係合部は必ずしも穴でなくてもよく、フック７を係合できる形状であればよい。また、前記基体２の主部４の表面側中央付近には、非常に短い円筒状をなす２つの管状突起９が、該主部４の中央位置に関し対称位置に一体成形されて設けられている。これらの管状突起９間の間隔は、一般的な事務用品の２穴パンチの穴間隔と同じ大きさ（８０ｍｍ）とされている。図７は、管状突起９の拡大斜視図であり、上方に突出する抜け止め突出片１０を先端側に一体的に形成されている。
【００１８】
図２および３によく示されるように、前記基体２の表面側には、後述する表示物１１が支持される際の中心位置（本実施例では、基体２の幅方向中心位置と一致されている）を示す中心マーク１２と、この中心マーク１２に中心を合わされたときの規格サイズの用紙（Ａ３横向き，Ｂ４横向き，Ａ３縦向き，Ａ４横向き，Ｂ４縦向き，Ｂ５横向き，Ａ４縦向きおよびＢ５縦向き）の端部の位置をそれぞれ示す用紙端マーク１３とが一体成形されて設けられている。なお、用紙端マーク１３の「Ａ３ヨコ」、「Ｂ４ヨコ」、「Ａ３タテ」等の表示は、図３のみに示してあり、他の図では図示を省略している。前記基体２の上辺には、適当数の開閉軸支持突起１４が間隔を置いて一体的に形成されている。
【００１９】
前記蓋体３は、前記基体２の主部４とほぼ同じ大きさで、全体に細長く扁平な形状をなしており、その一辺に適当数の開閉軸支持突起１５を一体的に形成されている。前記基体２および蓋体３の開閉軸支持突起１４，１５には金属線材からなる開閉軸１６が挿通されて、ヒンジ構造を形成している。これにより蓋体３は基体２に対して開閉軸１６を中心として回動可能とされ、図１および６等に示されるように基体２に重ねられた状態となる閉状態並びに図２および４等に示されるように基体２に重ならない状態となる開状態の何れの状態も取り得るようにされている。
【００２０】
前記蓋体３の内面側の幅方向両端部付近には、前述したフック７が一体的に設けられており、図６のように蓋体３が閉状態とされると、フック７がフック係合穴８に係合して蓋体３を前記閉状態に維持するようになる一方、この状態においてフック７を図６の矢印の方向に押して弾性変形させると、前記係合状態を解除できるようになっている。図５は、フック７の拡大斜視図を示している。
【００２１】
図２，３，１０，１１等に示されるように、前記蓋体３の内面側には、管状突起９に対応する２つの芯側突起１７が一体成形されて設けられている。これらの芯側突起１７はそれぞれピン状をなしていて、管状突起９の中空部の内径に対応する外径を有している。図１および１１等に示されるように、前記蓋体３の外面側の表面には、矩形状かつ平面状のステッカー貼付部３０が一体的に形成されている。
【００２２】
次に、本実施例の作用を使用方法とともに説明する。図８および９は、表示物１１を構成する透明な袋状体１８の一例を示しており、ビニール樹脂等からなり、耐水性かつ透明で、柔軟であって上端のみを開口されたシート状の袋状体であり、上端開口部付近の一方の外面にＰＥＴ樹脂等の樹脂薄板からなる補強板１９を固着されている。そして、前記透明な袋状体１８の上端付近の部分には、２つの支持穴２０が該透明な袋状体１８の幅方向中央位置に関して対称位置に開けられている。なお、袋状体１８は、本実施例では前述のように軟質のものとされているが、硬質のものであってもよい。
【００２３】
ユーザーは、例えば紙２１（実際には紙以外のシート状物であってもよい）に文字、記号、図形またはそれらの組み合わせ等の可視情報２２を印刷したり、手書きし、これを図８の矢印で示されるように透明な袋状体１８内に収容する。この場合、透明な袋状体１８および紙２１が表示物１１を構成することとなるが、この表示物１１全体もシート状をなしている。そして、図１０のように、透明な袋状体１８の支持穴２０に管状突起９を挿通させてから蓋体３を閉じ、図１１のように透明な袋状体１８の上端付近を基体２と蓋体３との間に挟む。すると、図１１のように芯側突起１７が管状突起内に侵入するとともに、図６のようにフック７がフック係合穴８に係合して蓋体３を閉状態に維持するようになる。
【００２４】
次に、図１１に示されるように、単管パイプ６の側方から単管嵌合部５の腕部５ａの先端部を単管パイプ６の外周に押圧すると、腕部５ａが互いに離間する方向に弾性変形することにより狭隘部５ｃが開いて、この狭隘部５ｃから凹部５ｂ間に単管パイプ６が侵入し、さらに腕部５ａが弾性により元の位置に戻ろうとすることにより、単管パイプ６が図１２に示されるように凹部５ｂ間に弾性的に挾持され、単管パイプ用表示具１１が単管パイプ６に取り付けられる。
【００２５】
以上のようにして、この単管パイプ用表示具１１によれば、ユーザー自身が極めて容易に、必要な可視情報２２を適宜作成し、それを単管パイプ６に取り付けて表示することができる。
【００２６】
なお、本発明においては、表示物１１に設けられた支持穴２０に挿通される突起９，１７は必ずしも設けなくてもよいが、本実施例では、管状突起９および芯側突起１７が支持穴２０に挿通された状態で、表示物１１が基体２と蓋体３との間に挟まれるので、表示物１１が基体２と蓋体３の間から抜け落ちたりすることなく、表示物１１が確実に単管パイプ用表示具１に支持される。さらに、本実施例では、管状突起９の先端に上方に突出する抜け止め突出片１０が設けられているので、より一層確実に表示物１１の抜け落ちを防止できる。ただし、本発明においては、表示物１１に設けられた支持穴２０に挿通される突起を設ける場合、その形状は実施例のようでなくてもよいし、場合によっては、突起を基体２または蓋体３の一方のみに設けてもよい。また、前記実施例のような管状突起９および芯側突起１７を設ける場合、場合によっては、前記実施例とは逆に、基体２側に芯側突起１７、蓋体３側に管状突起９を設けてもよい。
【００２７】
上の説明では、透明な袋状体１８に収容した紙２１を表示物１１としたが、表示物１１としては、例えば、ラミネート（パウチ）加工した紙２３を使用することもできる。本実施例では、中心マーク１２および用紙端マーク１３が設けられていることにより、ユーザーが事務用品のパンチでラミネート加工した紙２３の所定位置に支持穴２０を開ける際の位置出しを容易に行うことができる。図１３はこれを示したものであり、用紙端マーク１３にラミネート加工した紙２３の両端を合わせ、中心マーク１２の位置に合わせてラミネート加工した紙２３に中心の印を付け、この印をパンチの中心に合わせて穴開けすることにより、容易に支持穴２０を所定位置に開けることができる。なお、中心マーク１２および用紙端マーク１３は、基体２の方ではなく、蓋体３側に設けてもよい。
【００２８】
また、本単管パイプ用表示具１で使用できる表示物１１は、シート状であれば、上に例示した２つのものに限られることはない。
【００２９】
また、前記説明では、表示物１１を基体２と蓋体３との間に挟んで、単管パイプ用表示具１に表示物１１を支持させた後、単管パイプ用表示具１を単管パイプ６に取り付けるようにしているが、勿論、単管パイプ用表示具１を単管パイプ６に取り付けた後、表示物１１を基体２と蓋体３との間に挟んで支持させてもよい。
【００３０】
図１４は、この単管パイプ用表示具１の他の使用方法を示しており、製造者・販売者側で予め用意した、文字、記号、図形またはそれらの組み合わせ等の可視情報２４を印刷されるとともに裏面に粘着剤を塗布された種々のステッカー２５の中から選択したものが、蓋体３のステッカー貼付部３０に貼られている。これにより、表示具１の製造者・販売者側で予め用意した種々の可視情報の中から選択したものをそれ単独で表示することができる。このように製造者・販売者側で予め用意した可視情報２４をそれ単独で表示する場合は、可視情報２４を縦向き用に描いておき（例えば、文字を縦書きとする）、縦方向に使用されている単管６に単管パイプ用表示具１を縦方向に取り付けることも可能である。
【００３１】
なお、図１等のようにユーザーが作成した表示物１１を基体２と蓋体３との間に挟むと同時に、図１４のように製造者・販売者側で予め用意したステッカー２５を蓋体３の表面に貼ることにより、ユーザー自身が作成した可視情報２２と表示具１の製造者・販売者側で予め用意した可視情報２４とを組み合わせて表示することも可能である。
【００３２】
単管パイプ６からの単管パイプ用表示具１の取り外しは、単管嵌合部５と単管との嵌合を解除することにより、簡単に行うことができる。
【産業上の利用可能性】
【００３３】
以上のように本発明による単管パイプ用表示具は、文字、記号、図形またはそれらの組み合わせ等の可視情報を表示する表示具として有用である。
【図面の簡単な説明】
【００３４】
【図１】本発明の一実施例を使用状態で示す斜視図である。
【図２】前記実施例を開状態で示す斜視図である。
【図３】前記実施例を開状態で示す正面図である。
【図４】前記実施例を開状態で示す側面図である。
【図５】前記実施例におけるフックを示す拡大斜視図である。
【図６】閉状態における前記実施例を示す断面図である。
【図７】前記実施例における管状突起を示す拡大斜視図である。
【図８】前記実施例における透明な袋状体および紙を示す正面図である。
【図９】前記実施例における透明な袋状体を示す断面図である。
【図１０】前記実施例において蓋体を開け、透明な袋状体の支持穴に管状突起を挿通させた状態を示す斜視図である。
【図１１】前記実施例において蓋体と基体との間に表示物を挟んだ状態を示す断面図である。
【図１２】前記実施例の使用状態を示す断面図である。
【図１３】前記実施例において、ラミネート加工した紙を表示物とする場合の、パンチによる支持穴開けのための中央位置の位置出し作業を示す正面図である。
【図１４】前記実施例の他の使用状態を示す斜視図である。
【符号の説明】
【００３５】
１    単管パイプ用表示具
２    基体
３    蓋体
５    単管嵌合部
５ａ  腕部
５ｂ  凹部
５ｃ  狭隘部
６    単管パイプ
７    フック（閉状態維持手段）
８    フック係合穴（フック係合部、閉状態維持手段）
９    管状突起
１１    表示物
１２    中心マーク
１３    用紙端マーク
１７    芯側突起
１８    透明な袋状体
２０    支持穴
２１    紙（シート状物）
２２    可視情報
２３    ラミネート加工した紙（表示物）
【図１】
2005122077.tif 000003
【図２】
2005122077.tif 000004
【図３】
2005122077.tif 000005
【図４】
2005122077.tif 000006
【図５】
2005122077.tif 000007
【図６】
2005122077.tif 000008
【図７】
2005122077.tif 000009
【図８】
2005122077.tif 000010
【図９】
2005122077.tif 000011
【図１０】
2005122077.tif 000012
【図１１】
2005122077.tif 000013
【図１２】
2005122077.tif 000014
【図１３】
2005122077.tif 000015
【図１４】
2005122077.tif 000016